【手続補正書】
【提出日】平成24年8月30日(2012.8.30)
【手続補正１】
【補正対象書類名】特許請求の範囲
【補正対象項目名】全文
【補正方法】変更
【補正の内容】
【特許請求の範囲】
【請求項１】
入力画像信号中のフレーム画像を複数の領域に分割し、各分割領域において、輝度成分を抽出して輝度ヒストグラムを作成し、かつ、所定の色成分を肌色として抽出して肌色輝度ヒストグラムを作成するヒストグラム作成手段と、
前記輝度ヒストグラムおよび前記肌色輝度ヒストグラムを用いて、フレーム画像に人物が含まれるかどうかを検出する人物検出手段と、
前記輝度ヒストグラムおよび前記肌色輝度ヒストグラム、および前記人物検出手段による検出結果に基づいて、γカーブを作成するγカーブ作成手段と、
フレーム画像に前記γカーブを適用して出力画像信号を作成するγ変換手段と、
を備え、
前記γカーブ作成手段は、前記人物検出手段によりフレーム画像に人物が検出された場合に、前記輝度ヒストグラムから検出される暗部階調の範囲、および前記肌色輝度ヒストグラムから検出される肌色階調の範囲に割り当てる階調数を増やすようにγカーブを作成する
ことを特徴とする画像処理装置。
【請求項２】
前記ヒストグラム作成手段は、
各分割領域の輝度ヒストグラムにおいて輝度が低い側の階級から順に度数を加算した場合に、度数の合計値が第１の閾値を超え、かつ、前記第１の閾値を超えた階級値が所定の階級値よりも小さい場合、前記第１の閾値を超えた階級値を暗部階調として検出し、
分割領域の肌色輝度ヒストグラムにおいて輝度が低い側の階級から順に度数を加算した時に、度数の合計値が第２の閾値を超えた場合、前記第２の閾値を超えた階級値を肌色階調として検出する
ことを特徴とする請求項１に記載の画像処理装置。
【請求項３】
前記人物検出手段は、暗部階調が検出された分割領域を中心とする所定の範囲に、肌色領域が検出された分割領域が存在するか否かに応じて、前記フレーム画像に人物が含まれるかどうかを検出する
ことを特徴とする請求項１または２に記載の画像処理装置。
【請求項４】
前記ヒストグラム作成手段は、
フレーム画像内の各分割領域の暗部階調を比較して当該フレーム画像における最小暗部階調と最大暗部階調を求め、
フレーム画像内の各分割領域の肌色階調を比較して当該フレーム画像における最小肌色階調と最大肌色階調を求め、
前記γカーブ作成手段は、人物が含まれると判定された場合に、最小暗部階調と最大暗部階調の間の範囲、および、最小肌色階調と最大肌色階調の間の範囲に割り当てる階調数を増やすようにγカーブを作成する
ことを特徴とする請求項１ないし３のいずれか１項に記載の画像処理装置。
【請求項５】
前記ヒストグラム作成手段により、フレーム画像のいずれの分割領域からも暗部階調が検出されず、かつ、いずれかの分割領域から肌色階調が検出された場合、前記γカーブ作成手段は、肌色階調の範囲に割り当てる階調数のみ増やすようにγカーブを作成する
ことを特徴とする請求項１ないし４のいずれか１項に記載の画像処理装置。
【請求項６】
前記ヒストグラム作成手段により、フレーム画像のいずれの分割領域からも肌色階調が検出されず、かつ、いずれかの分割領域から暗部階調が検出された場合、前記γカーブ作成手段は、暗部階調の範囲に割り当てる階調数のみ増やすようにγカーブを作成する
ことを特徴とする請求項１ないし４のいずれか１項に記載の画像処理装置。
【請求項７】
前記ヒストグラム作成手段は、フレーム画像に含まれる分割領域における、最小暗部階調から最大暗部階調までの度数の和を、全ての分割領域について積算して暗部面積を求め、最小肌色階調から最大肌色階調までの度数の和を、全ての分割領域について積算して肌色面積を求め、
前記γカーブ作成手段は、前記暗部面積に比例するように最小暗部階調から最大暗部階調の間の範囲に割り当てる階調数を決定し、前記肌色面積に比例するように最小肌色階調から最大肌色階調の間の範囲に割り当てる階調数を決定する
ことを特徴とする請求項４に記載の画像処理装置。
【請求項８】
入力画像信号中のフレーム画像を複数の領域に分割し、各分割領域において、輝度成分を抽出して輝度ヒストグラムを作成し、かつ、所定の色成分を肌色として抽出して肌色輝度ヒストグラムを作成するヒストグラム作成ステップと、
前記輝度ヒストグラムおよび前記肌色輝度ヒストグラムを用いて、フレーム画像に人物が含まれるかどうかを検出する人物検出ステップと、
前記輝度ヒストグラムおよび前記肌色輝度ヒストグラム、および前記人物検出ステップによる検出結果に基づいて、γカーブを作成するγカーブ作成ステップと、
フレーム画像に前記γカーブを適用して出力画像信号を作成するγ変換ステップと、
を含み、
前記γカーブ作成ステップは、前記人物検出ステップによりフレーム画像に人物が検出された場合に、前記輝度ヒストグラムから検出される暗部階調の範囲、および前記肌色輝度ヒストグラムから検出される肌色階調の範囲に割り当てる階調数を増やすようにγカーブを作成する
ことを特徴とする画像処理方法。
【請求項９】
前記ヒストグラム作成ステップは、
各分割領域の輝度ヒストグラムにおいて輝度が低い側の階級から順に度数を加算した場合に、度数の合計値が第１の閾値を超え、かつ、前記第１の閾値を超えた階級値が所定の階級値よりも小さい場合、前記第１の閾値を超えた階級値を暗部階調として検出し、
分割領域の肌色輝度ヒストグラムにおいて輝度が低い側の階級から順に度数を加算した時に、度数の合計値が第２の閾値を超えた場合、前記第２の閾値を超えた階級値を肌色階調として検出する
ことを特徴とする請求項８に記載の画像処理方法。
【請求項１０】
前記人物検出ステップは、暗部階調が検出された分割領域を中心とする所定の範囲に、肌色領域が検出された分割領域が存在するか否かに応じて、前記フレーム画像に人物が含まれるかどうかを検出する
ことを特徴とする請求項８または９に記載の画像処理方法。
【請求項１１】
前記ヒストグラム作成ステップは、
フレーム画像内の各分割領域の暗部階調を比較して当該フレーム画像における最小暗部階調と最大暗部階調を求め、
フレーム画像内の各分割領域の肌色階調を比較して当該フレーム画像における最小肌色階調と最大肌色階調を求め、
前記γカーブ作成ステップは、人物が含まれると判定された場合に、最小暗部階調と最大暗部階調の間の範囲、および、最小肌色階調と最大肌色階調の間の範囲に割り当てる階調数を増やすようにγカーブを作成する
ことを特徴とする請求項８ないし１０のいずれか１項に記載の画像処理方法。
【請求項１２】
前記ヒストグラム作成ステップにより、フレーム画像のいずれの分割領域からも暗部階調が検出されず、かつ、いずれかの分割領域から肌色階調が検出された場合、前記γカーブ作成ステップは、肌色階調の範囲に割り当てる階調数のみ増やすようにγカーブを作成する
ことを特徴とする請求項８ないし１１のいずれか１項に記載の画像処理方法。
【請求項１３】
前記ヒストグラム作成ステップにより、フレーム画像のいずれの分割領域からも肌色階調が検出されず、かつ、いずれかの分割領域から暗部階調が検出された場合、前記γカーブ作成ステップは、暗部階調の範囲に割り当てる階調数のみ増やすようにγカーブを作成する
ことを特徴とする請求項８ないし１１のいずれか１項に記載の画像処理方法。
【請求項１４】
前記ヒストグラム作成ステップは、フレーム画像に含まれる分割領域における、最小暗部階調から最大暗部階調までの度数の和を、全ての分割領域について積算して暗部面積を求め、最小肌色階調から最大肌色階調までの度数の和を、全ての分割領域について積算して肌色面積を求め、
前記γカーブ作成ステップは、前記暗部面積に比例するように最小暗部階調から最大暗部階調の間の範囲に割り当てる階調数を決定し、前記肌色面積に比例するように最小肌色階調から最大肌色階調の間の範囲に割り当てる階調数を決定する
ことを特徴とする請求項１１に記載の画像処理方法。
【手続補正２】
【補正対象書類名】明細書
【補正対象項目名】０００６
【補正方法】変更
【補正の内容】
【０００６】
上述した課題を解決するために、本発明では以下の構成を採用する。すなわち、入力画像信号中のフレーム画像を複数の領域に分割し、各分割領域において、輝度成分を抽出して輝度ヒストグラムを作成し、かつ、所定の色成分を肌色として抽出して肌色輝度ヒストグラムを作成するヒストグラム作成手段と、前記輝度ヒストグラムおよび前記肌色輝度ヒストグラムを用いて、フレーム画像に人物が含まれるかどうかを検出する人物検出手段と、前記輝度ヒストグラムおよび前記肌色輝度ヒストグラム、および前記人物検出手段による検出結果に基づいて、γカーブを作成するγカーブ作成手段と、フレーム画像に前記γ
カーブを適用して出力画像信号を作成するγ変換手段と、を備え、前記γカーブ作成手段は、前記人物検出手段によりフレーム画像に人物が検出された場合に、前記輝度ヒストグラムから検出される暗部階調の範囲、および前記肌色輝度ヒストグラムから検出される肌色階調の範囲に割り当てる階調数を増やすようにγカーブを作成することを特徴とする画像処理装置である。
【手続補正３】
【補正対象書類名】明細書
【補正対象項目名】０００７
【補正方法】変更
【補正の内容】
【０００７】
本発明ではまた、以下の構成を採用する。すなわち、入力画像信号中のフレーム画像を複数の領域に分割し、各分割領域において、輝度成分を抽出して輝度ヒストグラムを作成し、かつ、所定の色成分を肌色として抽出して肌色輝度ヒストグラムを作成するヒストグラム作成ステップと、前記輝度ヒストグラムおよび前記肌色輝度ヒストグラムを用いて、フレーム画像に人物が含まれるかどうかを検出する人物検出ステップと、前記輝度ヒストグラムおよび前記肌色輝度ヒストグラム、および前記人物検出ステップによる検出結果に基づいて、γカーブを作成するγカーブ作成ステップと、フレーム画像に前記γカーブを適用して出力画像信号を作成するγ変換ステップと、を含み、前記γカーブ作成ステップは、前記人物検出ステップによりフレーム画像に人物が検出された場合に、前記輝度ヒストグラムから検出される暗部階調の範囲、および前記肌色輝度ヒストグラムから検出される肌色階調の範囲に割り当てる階調数を増やすようにγカーブを作成することを特徴とする画像処理方法である。